(57)【要約】【課題】傘の下ろくろに特定機能を有する装置を取り付けることができる傘構造を提供する。【解決手段】傘構造は、中棒１１、下ろくろ１１１、傘骨１２及び傘布１３を備える。下ろくろ１１１には、固定部材１１２が取り付けられる。固定部材１１２には、特定機能を有する装置２が取り付けられる。固定部材１１２は、爪式、着脱式、接着式、磁石式、平面ファスナ式の固定部材、又は下ろくろと一体射出成形された固定部材である。特定機能を有する装置２は、照明ランプ、ミニ扇風機、ラジオ、音楽再生プレーヤ、手持ち式通信装置、装飾品又は玩具である。【選択図】図１
0003176775.tif 000002
【実用新案登録請求の範囲】
【請求項１】
中棒、下ろくろ、傘骨及び傘布を備えた傘構造であって、
前記下ろくろには、固定部材が取り付けられ、
前記固定部材には、特定機能を有する装置が取り付けられることを特徴とする傘構造。
【請求項２】
前記固定部材は、爪式、着脱式、接着式、磁石式、平面ファスナ式の固定部材、又は前記下ろくろと一体射出成形された固定部材であることを特徴とする請求項１に記載の傘構造。
【請求項３】
前記特定機能を有する装置は、照明ランプ、ミニ扇風機、ラジオ、音楽再生プレーヤ、手持ち式通信装置、装飾品又は玩具であることを特徴とする請求項１に記載の傘構造。
【考案の詳細な説明】
【技術分野】
【０００１】
本考案は、傘構造に関し、特に、傘の下ろくろに設置した固定部材により特定機能を有する装置を取り付ける傘構造に関する。
【背景技術】
【０００２】
従来市販の傘は、雨が降っている夜間にユーザが使用する際、道が暗く視界が良好でない場合、前方の道を照明で照らすために、一方の手で傘を持ち、他方の手で懐中電灯を持つ必要がある。また、炎天下の下、ミニ扇風機を使用して暑さを凌ぐには、一方の手で傘を持ち、他方の手でミニ扇風機を持つ必要がある。そのため、傘を持つ人にとって、懐中電灯又はミニ扇風機を使用することは非常に不便である。
【０００３】
現在、一部のメーカは、傘へ電子機器（例えば、照明発光装置、扇風機など）を直接取り付けた製品を開発しているが、このような傘には依然として以下（１）及び（２）の欠点がある。
（１）電子機器が直接傘に固定されて取り外すことができないため、傘が損壊した場合、正常に使用できる電子機器を他の傘へ取り付けて使用することができない。
（２）照明発光装置又は扇風機を備える傘は、１つの機能しか備えていないため、ユーザは他の機能を利用することができない。
【０００４】
上述したことから分かるように、従来市販されている開発中又は販売中の電子機器を備える傘には、依然として改善が必要な点がある。そのため、傘が損壊しても機能が依然として正常な場合、特定機能を備える装置を他の傘へ取り付けて使用し続けることができ、ユーザのニーズに応じ、多種類の特定機能を有する装置を取り付けることができる傘構造が求められていた。
【考案の概要】
【考案が解決しようとする課題】
【０００５】
本考案の第１の目的は、傘の下ろくろに特定機能を有する装置を取り付けることができる傘構造を提供することにある。
本考案の第２の目的は、傘が損壊しても特定機能を有する装置が依然として正常である場合、当該装置を他の傘へ取り付けて使用し続けることができる傘構造を提供することにある。
本考案の第３の目的は、ニーズに応じて照明ランプ、ミニ扇風機、ラジオ、音楽再生プレーヤ、手持ち式通信装置、装飾品、玩具など、様々な機能を備える特定機能を有する装置を下ろくろに取り付けることができる傘構造を提供することにある。
【課題を解決するための手段】
【０００６】
上記課題を解決するために、中棒、下ろくろ、傘骨及び傘布を備えた傘構造であって、前記下ろくろには、固定部材が取り付けられ、前記固定部材には、特定機能を有する装置が取り付けられることを特徴とする傘構造が提供される。
【０００７】
また、前記固定部材は、爪式、着脱式、接着式、磁石式、平面ファスナ式の固定部材、又は前記下ろくろと一体射出成形された固定部材であることが好ましい。
【０００８】
また、前記特定機能を有する装置は、照明ランプ、ミニ扇風機、ラジオ、音楽再生プレーヤ、手持ち式通信装置、装飾品又は玩具であることが好ましい。
【考案の効果】
【０００９】
本考案の傘構造は、以下（１）〜（３）の効果を有する。
（１）傘の下ろくろに特定機能を有する装置を取り付けることができるため、傘が損壊しても機能が依然として正常な場合、特定機能を有する装置を他の傘へ取り付けて使用し続けることができる。
（２）ユーザのニーズに応じて照明ランプ、ミニ扇風機、ラジオ、音楽再生プレーヤ、手持ち式通信装置、装飾品、玩具など、様々な機能を備える特定機能を有する装置を下ろくろに取り付けることができる。
（３）ユーザは、天気や使用状況に応じて、様々な特定機能を有する装置と交換することができる。
【図面の簡単な説明】
【００１０】
【図１】本考案の第１実施形態に係る傘構造を示す側面図である。
【図２】本考案の第１実施形態に係る下ろくろを示す斜視図である。
【図３Ａ】本考案の第１実施形態に係る傘構造を使用するときの状態を示す斜視図である。
【図３Ｂ】本考案の第１実施形態に係る傘構造を使用するときの状態を示す斜視図である。
【図４】本考案の第２実施形態に係る下ろくろを示す斜視図である。
【図５】本考案の第３実施形態に係る下ろくろを示す斜視図である。
【考案を実施するための形態】
【００１１】
本考案の傘構造は、中棒、下ろくろ、傘骨及び傘布を含んでもよい。下ろくろには、固定部材が取り付けられてもよい。固定部材には、特定機能を有する装置を取り付けて使用する。
【００１２】
前記固定部材は、爪ベースでもよい。特定機能を有する装置には、爪構造を含む特定機能を有する装置が爪ベース上に設置させることができる爪構造を含んでもよい。
【００１３】
爪ベースは、矩形状、円形状又は多角形状でもよい。
【００１４】
固定部材は、着脱式固定部材でもよい。この着脱式固定部材は、下ろくろで可動可能であったり、上下方向で移動可能であったり、左右方向へ回転可能であったりしてもよい。
【００１５】
着脱式固定部材は、連結された可動管部材の特定機能を有する装置を含んでもよい。
【００１６】
固定部材は、下ろくろと一体射出成形した固定部材でもよい。
【００１７】
固定部材は、下ろくろに接着させる接着式固定部材でもよい。
【００１８】
固定部材は、特定機能を有する装置を接着させたり吸着させたりするために用いる粘着性表面又は磁性表面を有してもよい。固定部材は、磁石又は面ファスナでもよい。
【００１９】
以下、本考案の実施形態について図に基づいて説明する。なお、これによって本考案が限定されるものではない。
【００２０】
（第１実施形態）
図１及び図２を参照する。図１及び図２に示すように、本考案の第１実施形態に係る傘１は、中棒１１、下ろくろ１１１、傘骨１２及び傘布１３を含む。下ろくろ１１１上には固定部材１１２が取り付けられている。
【００２１】
図３Ａ及び図３Ｂを参照する。図３Ａ及び図３Ｂに示すように、本考案の第１実施形態に係る特定機能を有する装置２は、照明ランプである。特定機能を有する装置２の背面には爪部構造２１が設けられ、ユーザは、特定機能を有する装置２の爪部構造２１を固定部材１１２へ挿通させることができる。
【００２２】
また、固定部材１１２を下ろくろ１１１上に結合させる方式は複数あり、これらの方式には、例えば、一体射出成形方式、接着方式、着脱自在方式などが含まれる。ここで一体射出成形された固定部材とは、下ろくろ１１１から一体射出成形された固定部材１１２のことである。接着式の固定部材とは、固定部材１１２を下ろくろ１１１の表面に接着させることである。
【００２３】
（第２実施形態）
図４を参照する。図４に示すように、本考案の第２実施形態に係る下ろくろ１１１は、表面上に外嵌させる可動管部材１１４１を有する。可動管部材１１４１は、下ろくろ１１１の表面上で着脱式固定部材１１４を可動可能にしたり、上下方向で移動させたり、左右方向へ回転させたりしてもよい。また、着脱式固定部材１１４は、すでに連結した可動管部材１１４１の特定機能を有する装置を含む（図示せず）。
【００２４】
（第３実施形態）
図５を参照する。図５に示すように、本考案の第３実施形態に係る下ろくろ１１１上には、粘着性表面又は磁性表面を有する固定部材１１８が配置されている。この固定部材（例えば、磁石、面ファスナなど）１１８は、特定機能を有する装置に接着させたり吸着させたりすることができる。
【００２５】
上述したことから分かるように、本考案の傘構造は、以下（１）〜（３）の長所を有する。
（１）傘の下ろくろに特定機能を有する装置を取り付けることができるため、傘が損壊しても機能が依然として正常な場合、特定機能を有する装置を他の傘へ取り付けて使用し続けることができる。
（２）ユーザのニーズに応じて照明ランプ、ミニ扇風機、ラジオ、音楽再生プレーヤ、手持ち式通信装置、装飾品、玩具など、様々な機能を備える特定機能を有する装置を下ろくろに取り付けることができる。
（３）ユーザは、天気や使用状況に応じて、様々な特定機能を有する装置と交換することができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  傘
２  特定機能を有する装置
１１  中棒
１２  傘骨
１３  傘布
２１  爪部構造
１１１  下ろくろ
１１２  固定部材
１１４  着脱式固定部材
１１８  固定部材
１１２１  底板
１１４１  可動管部材
【図１】
0003176775.tif 000003
【図２】
0003176775.tif 000004
【図３Ａ】
0003176775.tif 000005
【図３Ｂ】
0003176775.tif 000006
【図４】
0003176775.tif 000007
【図５】
0003176775.tif 000008